(57)【要約】【課題】  眼底カメラとＯＣＴとの複合装置において、簡単な構成で、診断に適した画像を撮影できる。【解決手段】  被検眼の眼底正面画像を撮影するための眼底カメラ光学系と、眼底カメラ光学系の光軸の少なくとも一部と同軸に設けられ、被検眼の眼底断層画像を取得するためのＯＣＴ光学系と、を備える眼科撮影装置であって、選択的に点灯制御される複数の固視灯が配置された固視標表示体を備え、眼底カメラ光学系及びＯＣＴ光学系の光路の一部を介して被検眼の眼底に向けて固視標を投影する固視光学系を備え、固視標表示体は、眼底カメラ光学系の光軸に対してずれた位置に配置され、眼底カメラ光学系によって被検眼眼底の標準撮影を行うための第１の固視灯と、ＯＣＴ光学系の光軸と同軸上に配置され、黄斑部を中心する眼底断層画像をＯＣＴ光学系によって取得するための第２の固視灯と、を備える。【選択図】      図２
2015104581.tif 000002
【特許請求の範囲】
【請求項１】
被検眼の眼底正面画像を撮影するための眼底カメラ光学系と、
前記眼底カメラ光学系の光軸の少なくとも一部と同軸に設けられ、被検眼の眼底断層画像を取得するためのＯＣＴ光学系と、を備える眼科撮影装置であって、
選択的に点灯制御される複数の固視灯が配置された固視標表示体を備え、前記眼底カメラ光学系及び前記ＯＣＴ光学系の光路の一部を介して被検眼の眼底に向けて固視標を投影する固視光学系を備え、
前記固視標表示体は、
前記眼底カメラ光学系の光軸に対してずれた位置に配置され、前記眼底カメラ光学系によって被検眼眼底の標準撮影を行うための第１の固視灯と、
前記ＯＣＴ光学系の光軸と同軸上に配置され、黄斑部を中心とする眼底断層画像を前記ＯＣＴ光学系によって取得するための第２の固視灯と、
を備えることを特徴とする眼科撮影装置。
【請求項２】
前記固視標表示体は、
第１の固視灯と第２の固視灯のいずれか一方を含み、縦横方向に二次元的に配列された多数の固視灯を備え、前記多数の固視灯によってドットマトリクスが形成されており、
前記多数の固視灯とは別に、第１の固視灯と第２の固視灯のいずれか他方が、前記多数の固視灯による配列に対して少なくとも縦方向に関して外れた位置に配置されていることを特徴とする請求項１の眼科撮影装置。
【請求項３】
前記多数の固視灯は、前記眼底カメラ光学系による前記眼底正面画像の撮影と、前記ＯＣＴ光学系による前記眼底断層画像の取得において兼用されることを特徴とする請求項１〜２のいずれかの眼科撮影装置。
【請求項４】
前記第１の固視灯は、右眼用と左眼用でそれぞれ設けられていることを特徴とする請求項１〜３のいずれかの眼科撮影装置。
【請求項５】
前記固視灯を選択的に点灯制御する制御部を、さらに備え、
前記制御部は、前記眼底カメラ光学系によって前記眼底正面画像を取得する場合、前記第１の固視灯を点灯し、
前記ＯＣＴ光学系によって前記眼底断層画像を取得する場合、前記第２の固視灯を点灯する制御部であって、
前記眼底正面画像又は前記眼底断層画像の撮影完了信号に基づいて固視灯の点灯位置を切り換えることを特徴とする請求項１〜４のいずれかの眼科撮影装置。
【発明の詳細な説明】
【技術分野】
【０００１】
被検眼を撮影するための眼科撮影装置に関する。
【背景技術】
【０００２】
被検眼眼底の断層画像を非侵襲で得ることができる眼科撮影装置として、低コヒーレント光を用いた光干渉断層計（Optical Coherence Tomography: OCT）が知られている。このような眼科撮影装置は、測定光を眼底上に対して走査することによって、網膜断層画像を得ることができる。
また、特許文献１では、上記のようなＯＣＴの光学系と、被検眼の眼底をカラー撮影するための眼底カメラの光学系と、を組み合わせた複合型の眼科撮影装置が提案されている。
【先行技術文献】
【特許文献】
【０００３】
【特許文献１】特開平１０−３３４８４号公報
【発明の概要】
【発明が解決しようとする課題】
【０００４】
ところで、光干渉断層計を用いて被検眼を診断する際、例えば、黄斑が中心に配置された画像を用いる場合がある。一方、眼底カメラを用いて被検眼を診断する際、例えば、黄斑と視神経乳頭がバランスよく配置された画像を用いる場合がある。
【０００５】
このように、ＯＣＴと眼底カメラでは、要求される画像の撮影位置が異なる場合がある。このため、撮影する画像の種類に応じて撮影位置を変更する必要がある。
【０００６】
しかしながら、上記特許文献１のような従来の複合装置では、上記事情について勘案されていなかった。
【０００７】
本発明は、上記問題点を鑑み、眼底カメラとＯＣＴとの複合装置において、簡単な構成で、診断に適した画像を撮影できる眼科撮影装置を提供することを技術課題とする。
【課題を解決するための手段】
【０００８】
上記課題を解決するために、本発明は以下のような構成を備えることを特徴とする。
【０００９】
（１）  被検眼の眼底正面画像を撮影するための眼底カメラ光学系と、前記眼底カメラ光学系の光軸の少なくとも一部と同軸に設けられ、被検眼の眼底断層画像を取得するためのＯＣＴ光学系と、を備える眼科撮影装置であって、選択的に点灯制御される複数の固視灯が配置された固視標表示体を備え、前記眼底カメラ光学系及び前記ＯＣＴ光学系の光路の一部を介して被検眼の眼底に向けて固視標を投影する固視光学系を備え、前記固視標表示体は、前記眼底カメラ光学系の光軸に対してずれた位置に配置され、前記眼底カメラ光学系によって被検眼眼底の標準撮影を行うための第１の固視灯と、前記ＯＣＴ光学系の光軸と同軸上に配置され、黄斑部を中心する眼底断層画像を前記ＯＣＴ光学系によって取得するための第２の固視灯と、を備えることを特徴とする。
【図面の簡単な説明】
【００１０】
【図１】本実施例の眼科撮影装置の光学系及び制御系を示す図である。
【図２】本実施例の固視標投影光学系の光源の概略図である。
【図３】固視標光源の一例を示す図である。
【図４】眼底画像の一例を示す図である。
【図５】ＯＣＴ光学系によって撮影される画像の一例を示す図である。
【発明を実施するための形態】
【００１１】
本発明の典型的な実施形態の一例を図面に基づいて説明する。本装置は、被検眼のカラー眼底画像および断層画像を取得するための装置である。図１は、本実施形態の眼科撮影装置の光学系及び制御系を示す図である。なお、本実施形態においては、被検眼の奥行き方向をＺ方向（光軸Ｌ１方向）、奥行き方向に垂直（被検者の顔面と同一平面）な平面上の水平方向成分をＸ方向、鉛直方向成分をＹ方向として説明する。
【００１２】
＜概要＞
本実施例の光学系は、眼底カメラ光学系３０と、干渉光学系２００（以下、ＯＣＴ光学系ともいう）と、固視光学系８０を主に備える。眼底カメラ光学系３０は、被検眼Ｅの眼底画像を取得する。例えば、眼底カメラ光学系３０は、可視光によって照明された被検眼眼底の正面画像を撮影してもよい。
【００１３】
ＯＣＴ光学系２００は、被検眼Ｅの断層画像を取得する。ＯＣＴ光学系は、被検眼眼底の断層画像を光干渉の技術を用いて非侵襲で撮影できてもよい。ＯＣＴ光学系の光軸は、眼底カメラ光学系３０の光路外に形成されてもよい。
【００１４】
ＯＣＴ光学系２００の光軸は、光路結合部材によって眼底カメラ光学系３０の光軸の少なくとも一部と同軸に配置される。光路結合部材としては、例えば、ビームスプリッタ、ハーフミラー、ダイクロイックミラー等が用いられる。
【００１５】
固視光学系８０は、眼底カメラ光学系３０及びＯＣＴ光学系２００の光路の一部を介して被検眼の眼底に向けて固視標を投影する。固視標は被検眼Ｅを固視させる。固視光学系８０の光軸は、光路結合部材によって眼底カメラ光学系３０の光軸及びＯＣＴ光学系２００の光軸と同軸に配置される。光路結合部材としては、例えば、ビームスプリッタ、ハーフミラー、ダイクロイックミラー等が用いられる。同軸化に用いる光路結合部材は、眼底カメラ光学系の光路あるいはＯＣＴ光学系の光路の一方、又はこれらの共通光路に配置される。
【００１６】
固視光学系８０は、固視標表示体８１を主に備える。固視標表示体８１は、選択的に点灯制御される複数の固視灯が配置される。固視標表示体８１は、第１の固視灯（例えば、固視灯８１ａ，固視灯８１ｂなど）と、第２の固視灯（例えば、固視灯８１ｃなど）と、を主に備える。第１の固視灯は、眼底カメラ光学系３０の光軸に対してずれた位置に配置される。眼底カメラ光学系３０は、第１の固視灯を用いて被検眼眼底の標準撮影を行う。標準撮影とは、例えば、黄斑と視神経乳頭の中間が画像の中央に配置されるように眼底画像を撮影することである。第２の固視灯は、ＯＣＴ光学系２００の光軸と同軸上に配置される。ＯＣＴ光学系２００は、第２の固視灯を用いて黄斑部を中心とする眼底断層画像を取得する。
【００１７】
なお、固視標表示体８１は、第１の固視灯と第２の固視灯のいずれか一方を含み、縦横方向に二次元的に配列された多数の固視灯を備えてもよい。多数の固視灯によってドットマトリクスが形成されてもよい。多数の固視灯とは、例えば、横が１０列、縦が７行の７０個の固視灯でもよい。多数の固視灯は、例えば、規則的に配置されていてもよい。規則的な配置としては、固視灯が縦横に格子状に配列された配置が代表的である。なお、多数の固視灯は、十字に並ぶように規則的に配置されていてもよい。また、多数の固視灯は、放射状に並ぶように規則的に配置されてもよい。多数の固視灯とは別に、第１の固視灯と第２の固視灯のいずれか他方が、前記多数の固視灯による配置に対して少なくとも縦方向に関して外れた位置に配置されていてもよい。
【００１８】
また、多数の固視灯による配列に対して縦方向にずれた位置に配置する場合、横方向における固視灯の配列ラインから外れて配置されてもよい。例えば、図２を参照すると、固視灯８１ｃは、縦方向及び横方向における固視灯の配列ラインから外れて配置されている。より詳細には、多数の固視灯によるドットマトリクス配列からずれた位置であってもよい。縦方向とは、視線方向が上下方向に誘導される方向に対応し、横方向とは、視線方向が左右方向に誘導される方向に対応する。
【００１９】
なお、多数の固視灯は、眼底カメラ光学系３０による眼底正面画像の撮影と、ＯＣＴ光学系による眼底断層画像の取得において兼用されてもよい。
【００２０】
なお、本装置において、第１の固視灯は、右眼用と左眼用でそれぞれ設けられてもよい。
【００２１】
また、本装置は、固視灯を選択的に点灯制御する制御部７０をさらに備えてもよい。制御部７０は、眼底カメラ光学系３０によって眼底正面画像を取得する場合、第１の固視灯を点灯し、ＯＣＴ光学系２００によって眼底断層画像を取得する場合、第２の固視灯を点灯してもよい。これによって、制御部７０は、眼底正面画像又は眼底断層画像の撮影完了信号に基づいて固視灯の点灯位置を切り換えてもよい。
【００２２】
＜実施例＞
図１に示すように、本実施形態の光学系は、照明光学系１０、眼底カメラ光学系３０、干渉光学系２００（以下、ＯＣＴ光学系ともいう）、固視光学系８０、を主に備える。さらに、光学系は、フォーカス指標投影光学系４０、アライメント指標投影光学系５０、前眼部観察光学系６０を備えても良い。眼底カメラ光学系３０は、眼底を可視光によって撮影（例えば、無散瞳状態）することによってカラー眼底画像を得るための眼底カメラ光学系として用いられる。ＯＣＴ光学系２００は、被検眼眼底の断層画像を光干渉の技術を用いて非侵襲で得る。
【００２３】
＜照明光学系＞
照明光学系１０は、例えば、観察照明光学系と撮影照明光学系を有する。撮影照明光学系は、光源１４、コンデンサレンズ１５、リングスリット１７、リレーレンズ１８、ミラー１９、黒点板２０、リレーレンズ２１、孔あきミラー２２、対物レンズ２５を主に備える。撮影光源１４は、フラッシュランプ等であってもよい。黒点板２０は、中心部に黒点を有する。
【００２４】
また、観察照明光学系は、光源１１、赤外フィルタ１２、コンデンサレンズ１３、ダイクロイックミラー１６、リングスリット１７から対物レンズ２５までの光学系を主に備える。光源１１は、ハロゲンランプ等であってもよい。赤外フィルタ１２は、波長７５０ｎｍ以上の近赤外光を透過する。ダイクロックミラー１６は、コンデンサレンズ１３とリングスリット１７との間に配置される。また、ダイクロイックミラー１６は、光源１１からの光を反射し撮影光源１４からの光を透過する特性を持つ。
【００２５】
＜眼底カメラ光学系＞
眼底カメラ光学系３０は、例えば、対物レンズ２５、撮影絞り３１、フォーカシングレンズ３２、結像レンズ３３、受光素子３５が主に配置されている。撮影絞り３１は、孔あきミラー２２の開口近傍に位置する。フォーカシングレンズ３２は、光軸方向に移動可能である。受光素子３５は、可視域に感度を有する撮影に利用可能である。撮影絞り３１は対物レンズ２５に関して被検眼Ｅの瞳孔と略共役な位置に配置されている。フォーカシングレンズ３２は、モータを備える移動機構４９により光軸方向に移動される。
【００２６】
また、結像レンズ３３と受光素子３５の間には、赤外光及び可視光の一部を反射し、可視光の大部分を透過する特性を有するダイクロイックミラー３４が配置される。ダイクロイックミラー３７の反射方向には、赤外域に感度を有する受光素子３８が配置されている。ダイクロイックミラー３４は、眼底カメラ光学系３０の光軸と固視光学系８０の光軸とを同軸にするための光路結合部材として用いられる。ダイクロイックミラー３４は、例えば、眼底観察時に光路に挿入され、眼底撮影時に光路から退避される。ダイクロイックミラー３４は、ハーフミラーであってよい。
【００２７】
また、対物レンズ２５と孔あきミラー２２の間には、光路分岐部材としての挿脱可能なダイクロイックミラー（波長選択性ミラー）２４が斜設されている。ダイクロイックミラー２４は、ＯＣＴ測定光の波長光、及びアライメント指標投影光学系５０及び前眼部照明光源５８の波長光（中心波長９４０ｎｍ）を反射する。また、ダイクロイックミラー２４は、眼底観察用照明の波長光の光源波長（中心波長８８０ｎｍ）を含む波長９００ｎｍ以下を透過する特性を有する。撮影時には、ダイクロイックミラー２４は挿脱機構６６により連動して跳ね上げられ、光路外に退避する。挿脱機構６６は、ソレノイドとカム等により構成することができる。
【００２８】
また、ダイクロイックミラー２４の受光素子３５側には、挿脱機構６６の駆動により光路補正ガラス２８が跳ね上げ可能に配置されている。光路挿入時には、光路補正ガラス２８は、ダイクロイックミラー２４によってシフトされた光軸Ｌ１の位置を補正する役割を持つ。
【００２９】
観察用の光源１１を発した光束は、赤外フィルタ１２により赤外光束とされ、コンデンサレンズ１３、ダイクロイックミラー１６により反射されてリングスリット１７を照明する。そして、リングスリット１７を透過した光は、リレーレンズ１８、ミラー１９、黒点板２０、リレーレンズ２１を経て孔あきミラー２２に達する。孔あきミラー２２で反射された光は、補正ガラス２８、ダイクロイックミラー２４を透過し、対物レンズ２５によって被検眼Ｅの瞳孔付近で一旦収束した後、拡散して被検眼眼底部を照明する。
【００３０】
また、眼底からの反射光は、対物レンズ２５、ダイクロイックミラー２４、補正ガラス２８、孔あきミラー２２の開口部、撮影絞り３１、フォーカシングレンズ３２、結像レンズ３３、ダイクロイックミラー３７、を介して受光素子３８に結像する。なお、受光素子３８の出力は制御部７０に入力され、制御部７０は、受光素子３８によって撮像される被検眼の眼底観察画像８２を表示部７５に表示する（図２参照）。
【００３１】
また、撮影光源１４から発した光束は、コンデンサレンズ１５を介して、ダイクロイックミラー１６を透過する。その後、眼底観察用の照明光と同様の光路を経て、眼底は可視光により照明される。そして、眼底からの反射光は対物レンズ２５、孔あきミラー２２の開口部、撮影絞り３１、フォーカシングレンズ３２、結像レンズ３３を経て、受光素子３５に結像する。
【００３２】
＜フォーカス指標投影光学系＞
フォーカス指標投影光学系４０は、赤外光源４１、スリット指標板４２、２つの偏角プリズム４３、投影レンズ４７、照明光学系１０の光路に斜設されたスポットミラー４４を主に備える。２つの偏角プリズム４３は、スリット視標板４２に取り付けられる。スポットミラー４４は、照明光学系１０の航路に斜設される。また、スポットミラー４４はレバー４５の先端に固着されている。スポットミラー４４は、通常は光軸に斜設されるが、撮影前の所定のタイミングで、ロータリソレノイド４６の軸の回転により、光路外に退避させられる。なお、スポットミラー４４は被検眼Ｅの眼底と共役な位置に配置される。光源４１、スリット指標板４２、偏角プリズム４３、投影レンズ４７、スポットミラー４４及びレバー４５は、フォーカシングレンズ３２と連動して移動機構４９により光軸方向に移動される。また、フォーカス指標投影光学系４０のスリット指標板４２の光束は、偏角プリズム４３及び投影レンズ４７を介してスポットミラー４４により反射された後、リレーレンズ２１、孔あきミラー２２、ダイクロイックミラー２４、対物レンズ２５を経て被検眼Ｅの眼底に投影される。眼底へのフォーカスが合っていないとき、不図示の指標像は、ずれ方向及びずれ量に応じて分離された状態で眼底上に投影される。一方、フォーカスが合っているときには、指標像は、合致した状態で眼底上に投影される。
【００３３】
＜アライメント指標投影光学系＞
アライメント用指標光束を投影するアライメント指標投影光学系５０には、図１における左上の点線内の図に示すように、撮影光軸Ｌ１を中心として同心円上に４５度間隔で赤外光源が複数個配置されている。本実施形態における眼底撮影装置は、第１視標投影光学系（０度、及び１８０）と、第２視標投影光学系と、を主に備える。第１視標投影光学系は、赤外光源５１とコリメーティングレンズ５２を持つ。第２視標投影光学系は、第１指標投影光学系とは異なる位置に配置され、６つの赤外光源５３を持つ。赤外光源５１は、撮影光軸Ｌ１を通る垂直平面を挟んで左右対称に配置される。この場合、第１指標投影光学系は被検眼Ｅの角膜に無限遠の指標を左右方向から投影する。第２指標投影光学系は被検眼Ｅの角膜に有限遠の指標を上下方向もしくは斜め方向から投影する構成となっている。なお、図１の本図には、便宜上、第１指標投影光学系（０度、及び１８０度）と、第２指標投影光学系の一部のみ（４５度、１３５度）が図示されている。
【００３４】
＜前眼部観察光学系＞
被検眼の前眼部を撮像する前眼部観察（撮影）光学系６０は、ダイクロイックミラー２４の反射側に、ダイクロイックミラー６１、絞り６３、リレーレンズ６４、受光素子６５を主に備える。受光素子６５は、赤外域の感度を持つ。また、受光素子６５はアライメント指標検出用の撮像手段を兼ね、赤外光を発する前眼部照明光源５８により照明された前眼部とアライメント指標が撮像される。前眼部照明光源５８により照明された前眼部は、対物レンズ２５、ダイクロイックミラー２４及びダイクロイックミラー６１からリレーレンズ６４の光学系を介して受光素子６５により受光される。また、アライメント指標投影光学系５０が持つ光源から発せられたアライメント光束は被検眼角膜に投影される。その角膜反射像は対物レンズ２５〜リレーレンズ６４を介して受光素子６５に受光（投影）される。
【００３５】
受光素子６５の出力は制御部７０に入力され、受光素子６５によって撮像された前眼部像が表示部７５に表示される。なお、前眼部観察光学系６０は、被検眼に対する装置本体１のアライメント状態を検出するための検出光学系を兼用する。
【００３６】
＜ＯＣＴ光学系＞
ＯＣＴ光学系２００は、いわゆる眼科用光断層干渉計（ＯＣＴ：Optical coherence tomography）の装置構成を持ち、眼Ｅの断層像を撮像する。ＯＣＴ光学系２００は、測定光源１０２から出射された光をカップラー（光分割器）１０４によって測定光（試料光）と参照光に分割する。ＯＣＴ光学系２００は、対物レンズを有する測定光学系２５０によって測定光を眼Ｅの眼底Ｅｆに導く。また、参照光を参照光学系１１０に導く。測定光学系２５０は、例えば、コリメータレンズ１２３、フォーカスレンズ１２４、走査部１０８、対物レンズ２５などを備えてもよい。測定光は、コリメータレンズ１２３、フォーカスレンズ１２４を介し、走査部１０８に達し、例えば、２つのガルバノミラーの駆動によって反射方向が変えられる。そして、走査部１０８で反射された測定光は、リレーレンズ２２を介して、ダイクロイックミラー２４で反射された後、対物レンズ２５を介して、被検眼眼底に集光される。その後、眼底Ｅｆによって反射された測定光と，参照光との合成による干渉光を検出器（受光素子）１２０に受光させる。フォーカスレンズ１２４は、駆動部１２４ａの駆動によって光軸方向に移動可能である。
【００３７】
検出器１２０は、測定光と参照光との干渉状態を検出する。フーリエドメインＯＣＴの場合では、干渉光のスペクトル強度が検出器１２０によって検出され、スペクトル強度データに対するフーリエ変換によって所定範囲における深さプロファイル（Ａスキャン信号）が取得される。例えば、Spectral-domain OCT（ＳＤ−ＯＣＴ）、Swept-source OCT（ＳＳ−ＯＣＴ）が挙げられる。Spectral-domain OCT（ＳＤ−ＯＣＴ）の場合、例えば、光源１０２として広帯域光源が用いられ、検出器１２０として分光器（スペクトロメータ）が用いられる。Swept-source OCTの場合、例えば、光源１０２として波長可変光源が用いられ、検出器１２０として単一のフォトダイオードが用いられる（平衡検出を行ってもよい）。また、Time-domain OCT（ＴＤ−ＯＣＴ）であってもよい。
【００３８】
走査部１０８は、測定光源から発せられた光を被検眼眼底上で走査させる。例えば、走査部１０８は、眼底上で二次元的（ＸＹ方向（横断方向））に測定光を走査させる。走査部１０８は、瞳孔と略共役な位置に配置される。走査部１０８は、例えば、２つのガルバノミラーであり、その反射角度が駆動部１５１によって任意に調整される。
【００３９】
これにより、光源１０２から出射された光束はその反射（進行）方向が変化され、眼底上で任意の方向に走査される。これにより、眼底Ｅｆ上における撮像位置が変更される。走査部１０８としては、光を偏向させる構成であればよい。例えば、反射ミラー（ガルバノミラー、ポリゴンミラー、レゾナントスキャナ）の他、光の進行（偏向）方向を変化させる音響光学素子（ＡＯＭ）等が用いられる。
【００４０】
参照光学系１１０は、眼底Ｅｆでの測定光の反射によって取得される反射光と合成される参照光を生成する。参照光学系１１０は、マイケルソンタイプであってもよいし、マッハツェンダタイプであっても良い。
【００４１】
参照光学系１１０は、参照光路中の光学部材を移動させることにより、測定光と参照光との光路長差を変更してもよい。例えば、参照ミラーが光軸方向に移動される。光路長差を変更するための構成は、測定光学系２５０の測定光路中に配置されてもよい。
【００４２】
より詳細には、参照光学系１１０は、例えば、コリメータレンズ１２９、参照ミラー１３１、参照ミラー駆動部１５０を主に備える。参照ミラー駆動部１５０は、参照光路中に配置され、参照光の光路長を変化させるべく、光軸方向に移動可能な構成になっている。光を参照ミラー１３１により反射することにより再度カップラー１０４に戻し、検出器１２０に導く。他の例としては、参照光学系１１０は、透過光学系（例えば、光ファイバー）によって形成され、カップラー１０４からの光を戻さず透過させることにより検出器１２０へと導く。
【００４３】
＜固視光学系＞
固視光学系は、被検眼に向けて固視標を投影するために設けられている。被検者によって固視標が視認されると、視線の動きが抑制される。固視光学系８０は、例えば、固視標表示体８１、リレーレンズ８３を備え、ダイクロイックミラー３４から対物レンズ２５までの眼底カメラ光学系３０の光路を共用してもよい。固視標表示体８１は、可視光を発する。
【００４４】
固視光学系８０は、ダイクロイックミラー３４によって、その光軸Ｌ２がＯＣＴ光学系２００及び眼底カメラ光学系３０の光軸Ｌ１と同軸になるように配置されている。ダイクロイックミラー３４は、眼底からの反射光を透過する。
【００４５】
固視標表示体８１から発せられた可視光は、リレーレンズ８３、ダイクロイックミラー３４、結像レンズ３３、フォーカシングレンズ３２、孔あきミラー２２、ダイクロイックミラー２４、対物レンズ２５を通過して被検眼眼底に集光する。被検者は可視光束を固視標として視認する。
【００４６】
本実施形態において、固視標表示体８１には、図２に示すように、例えば、可視光を発する複数の固視灯が配置されている。各固視灯はそれぞれ、可視光を発する発光ドット（可視光源）を形成する。ここで、可視光とは、被検眼に視認できる光であって、波長８００ｎｍ〜８５０ｎｍのような赤外域の光において、被検眼に視認可能な波長帯域の光も含まれる。
【００４７】
本実施形態では、固視灯としてＬＥＤ光源が用いられてもよい。固視標表示体８１は、基板上に固視灯が二次元的に配置されたドットマトリクス表示体（例えば、ドットマトリクスＬＥＤ）であってもよい。
【００４８】
なお、固視標表示体８１に関して、上記構成に限定されず、ＳＬＤ（スーパー・ルミネッセンス・ダイオード）光源、ＬＤ（レーザー・ダイオード）光源等が固視灯として用いられても良い。また、固視標表示体８１としては、多数の固視灯が縦横に隣接して配置されてもよいし（図２参照）、複数の固視灯が互いに離間して配置されてもよい（図５参照）。
【００４９】
固視標表示体８１は、各固視灯を選択的に点灯制御することによって、被検眼の固視位置を選択的に変更できる。なお、眼の視線方向を一つの方向に誘導するために一つの固視灯を選択的に点灯することが典型的であるが、これに限定されず、複数の固視灯が選択的に点灯されてもよい。
【００５０】
図２において、固視灯８１ａは、右眼の眼底正面画像を標準撮影するための固視標として用いられる。固視灯８１ｂは、左眼の眼底正面画像（以下、眼底正面画像を眼底画像として省略する場合あり）を標準撮影するための固視標として用いられる。固視灯８１ｃは、黄斑を中心とする眼底断層画像を撮影するための固視標として用いられる。その他の固視灯は、例えば、乳頭を中心に眼底正面画像又は眼底断層画像を撮影する場合、または眼底正面画像又は眼底断層画像のパノラマ撮影をしたりする場合などに用いられる。
【００５１】
図２に示すように、固視標表示体８１において、固視灯８１ａ，固視灯８１ｂは、光軸Ｌ２から垂直方向にずれた位置に配置されている。より詳細には、固視灯８１ａ，固視灯８１ｂの配置位置は、被検眼の視線を光軸Ｌ１に対して上方に移動させる位置に配置され、より好ましくは、黄斑と視神経乳頭の中間が眼底正面画像の中央に配置されるように設定されている。
【００５２】
被検眼の視線を上方に移動させる場合、例えば、被検者の視線を１°上方に回旋させ、眼底画像上の黄斑と視神経乳頭のバランスをとる。このとき、固視灯８１ａ及び固視灯８１ｂは光軸Ｌ１に対して、例えば、ずれ量ｄだけ垂直上方にずらして配置される。被検眼の視線の回旋量とＬＥＤ８１ａ及びＬＥＤ８１ｂの光軸Ｌ１からのずれ量ｄ（図２参照）との関係は、主に装置の光学系の設計値によって決定される。これによって、眼底カメラ光学系は、黄斑と視神経乳頭の中間が画像の中央に配置された眼底画像を取得できる。一般的には、このような眼底画像の撮影は、眼底カメラにおける標準撮影として規定される。
【００５３】
例えば、眼底の標準撮影時に用いられる固視灯が、眼底カメラ光学系３０の光軸Ｌ１と同軸上（光軸Ｌ２）に配置されたとする。この場合、撮影される眼底画像は、図３（ａ）に示すように、画像の中心に黄斑Ｅｙが表示される。視神経乳頭Ｅｄは、画像の上部に寄り、バランスの悪い画像となる。これは、黄斑Ｅｙに比べ、視神経乳頭Ｅｄは、左右の上部に寄っているためである。
【００５４】
従って、本実施形態においては、固視灯８１ａ及び固視灯８１ｂが光軸Ｌ２（光軸Ｌ１）から垂直上方にずれた位置に配置されることによって、被検眼の視線を上方に移動させる。
【００５５】
被検眼の視線を上方に移動させることによって、図３（ｂ）に示すように、黄斑Ｅｙと視神経乳頭Ｅｄがバランスよく配置された眼底画像を撮影することが可能となる。検者は、黄斑Ｅｙと視神経乳頭Ｅｄがバランスよく配置された画像を用いて診断することによって、黄斑と視神経乳頭の両方を好適に診断することができる。
【００５６】
眼底カメラにおいて黄斑を中心に撮影する場合、眼底画像の中心には、角膜反射等による白斑（ノイズ）が形成される可能性が高い。そこで、眼底画像の中心を黄斑から避けて撮影することによって、白斑の発生を軽減できる。
【００５７】
一方、図２に示すように、固視灯８１ｃは、ＯＣＴ光学系２００によって黄斑を中心とする断層画像を撮影するための固視標として用いられる。固視灯８１ｃは、光軸Ｌ２上に配置される。結果的には、固視灯８１ｃは、ＯＣＴ光学系２００と同軸に配置される。これによって、ＯＣＴ光学系２００は、図４に示すように、黄斑を中心とした眼底の断層画像及び３次元ＯＣＴデータを取得できる。なお、固視灯８１ｃは、厳密に光軸Ｌ２上に配置される必要はなく、黄斑を中心とする断層画像を取得する目的において、その配置位置のずれは許容される。
【００５８】
黄斑を中心とした画像が取得されることで、例えば、黄斑に発祥する黄斑円孔、中心性漿液性、黄斑変性症などの病変部を好適に観察することができる。また、例えば、黄斑の上下における各網膜層の厚みの対称性を好適に確認することができる。黄斑部での神経節細胞層の厚さ等は対称で、特に上下の対称性が高いことが知られている。従って、黄斑の上下の対称性を確認することで、診断を行うことができる。
【００５９】
また、光軸上に配置された固視灯を用いて断層画像の撮影を行うことで、黄斑を中心とする撮影範囲を広くできる。例えば、３次元測定（ＭＡＰスキャンともいう）によって黄斑を中心とする解析マップを得る場合に有効である。解析マップは、例えば、眼底組織における厚み（例えば、網膜層（例えば、視神経線維層）、脈絡膜層等）の二次元的な分布を示す。
【００６０】
解析マップは、黄斑を中心として乳頭を含めた広範囲で撮影されることが好ましい。例えば、黄斑を中心として９×９ｍｍの画像が取得されることが好ましい。これによって、検者は、一つの画像で黄斑または乳頭等における眼底組織の厚みの診断を行うことができる。従って、診断の負担の軽減または診断時間の短縮が図られる。
【００６１】
以上のように、黄斑を中心とした断層画像は、眼の診断に有用であり、断層画像の黄斑撮影時には、光軸と固視灯の位置を一致させるとよい。
【００６２】
本実施形態においては、図２に示すように、眼底カメラの標準撮影時に用いられる固視灯８１ａ及び固視灯８１ｂが光軸Ｌ１に対してずらして配置されるとともに、ＯＣＴの黄斑撮影時に用いられる固視灯８１ｃが光軸Ｌ１上に配置される。これによって、眼底カメラとＯＣＴのどちらの撮影も上記のように好適に行える固視標が実現される。
【００６３】
以上のように、固視標表示体８１に用いる固視灯の配置を調整することによって、眼底カメラとＯＣＴのどちらにも対応が可能になる。
【００６４】
これによって、例えば、液晶表示板、またはＬＤ（Laser Diode）の光線をガルバノミラーで反射させる構成等を用いて、任意の位置に無段階で視標を表示できるような高価な構成を用いることなく、眼底カメラとＯＣＴの両方において好適な画像を取得できる。
【００６５】
なお、ＯＣＴにおける測定光の走査範囲をさらに大きくし（例えば、１２ｍｍ×１２ｍｍ）、その３次元ＯＣＴデータから黄斑を中心とするデータ（例えば、黄斑を中心とする９ｍｍ×９ｍｍのＯＣＴデータ）を抽出することによって、黄斑を中心とする解析を行うことも選択肢としてありうる。
【００６６】
しかしながら、ＯＣＴと眼底カメラを複合させる場合、眼底カメラの光学系によってＯＣＴ光学系の走査範囲が制限される。つまり、複雑な光学系にて構築される眼底カメラでは、撮影画角（一般的には画角４５度）を広げることが難しい。その結果、眼底カメラの撮影画角を前提にＯＣＴ光学系と眼底カメラを複合せざるを得ない。そこで、黄斑及び乳頭を含む広範囲のＯＣＴデータを得るには、固視灯による視線方向の調整が好ましい。
【００６７】
そこで、上記のような固視標表示体８１を用いることによって、シンプルな構成にて、黄斑及び乳頭を含む広範囲のＯＣＴデータを取得できると共に、眼底カメラにおける標準撮影を行うことができる。もちろん、眼底カメラの撮影画角が現状の画角よりも広く確保された眼底カメラと、ＯＣＴとの複合装置においても、本実施形態の固視標表示体８１が適用できることは言うまでもない。
【００６８】
なお、本実施形態では、固視標となる固視灯が左右対称的に配置される。これによって、制御部７０は、左右眼を撮影した場合であっても、左右の画像を対称的に撮影できる。従って、制御部７０は、左右の画像を比較する場合に、都合のよい画像の取得が可能となる。
【００６９】
なお、本実施形態においては、例えば、全てのＬＥＤが縦横方向に同じ間隔だけ離され、規則的に配列されているドットマトリクスＬＥＤを用いる。
【００７０】
以下、固視標表示体８１として、ＬＥＤが規則的に配置されたドットマトリクスＬＥＤを用いた場合について説明する。例えば、図２に示すように、ドットマトリクスＬＥＤの各ＬＥＤの間隔が縦横ともに距離ｊであるとする。
【００７１】
図２に示すように、ドットマトリクスＬＥＤは、固視灯８１ａ及び固視灯８１ｂが前述のずれ量ｄだけ光軸Ｌ１から垂直上方にずれるように配置される。なお、固視灯８１ｃ以外のＬＥＤは、隣り合うＬＥＤに対して距離ｊだけ離れるように規則的に配列される。
【００７２】
一方、ＯＣＴの黄斑撮影時の固視灯として用いられる固視灯８１ｃは、光軸Ｌ１上に配置される。従って、固視灯８１ｃは、ドットマトリクスＬＥＤ上のその他のＬＥＤとは規則的な配列関係にない。固視灯８１ｃは、例えば、他のＬＥＤに対して距離ｊとは異なる距離だけ離れた位置に配置される。また、固視灯８１ａ及び固視灯８１ｂと、固視灯８１ｃは、他のＬＥＤが離れる間隔である距離ｊよりも小さい距離ｄだけ、垂直方向にずれた位置に配置される。
【００７３】
上記のように固視灯８１ｃを配置するため、ドットマトリクスＬＥＤにおいて、光軸Ｌ１に近いＬＥＤがいくつか取り除かれる。例えば、図２の斜線領域に配置されていたＬＥＤが取り除かれる。そして、ＬＥＤが取り除かれることで空いたスペースを利用して、固視灯８１ｃが光軸Ｌ１上に配置される。つまり、固視灯８１ｃは、固視灯８１ａ及び固視灯８１ｂに対して、垂直方向にずれ量ｄだけずれるように配置される。
【００７４】
以上のように、ＬＥＤが規則的に配列されたドットマトリクスＬＥＤを用いた場合でも、ＬＥＤの配置を変更することによって、眼底カメラとＯＣＴの両方の撮影において好適な固視標の実現が可能である。
【００７５】
また、本実施形態のように、規則的に配列されたＬＥＤの内、光軸Ｌ１上に配置する固視灯（例えば、固視灯８１ｃ）の位置のみを調整することによって、少ない作業量かつ簡単な構成で眼底カメラとＯＣＴの複合機に適した固視標の実現が可能となる。
【００７６】
なお、固視標表示体８１には、図２に示すように、固視灯８１ｄ，固視灯８１ｅ、固視灯８１ｆ，固視灯８１ｇ，固視灯８１ｈ，固視灯８１ｉ，固視灯８１ｊ，固視灯８１ｋ等が配置されてもよい。固視灯８１ｄ及び固視灯８１ｅは、それぞれ左右の乳頭を中心とした眼底画像の撮影に用いられる。固視灯８２ｆ〜固視灯８２ｋは、眼底画像のパノラマ撮影に用いられる。
【００７７】
＜制御部＞
本実施形態の制御部７０には、表示部７５と、操作部７４、記憶手段としてのメモリ７２、コンピュータ９０、各受光素子、各光源（図は略す）、各種アクチュエータ（図は略す）、固視標表示体８１等が接続される。
【００７８】
＜制御動作＞
以上のような構成を備える装置において、その制御動作について説明する。制御動作の一例として、右眼の断層画像の黄斑撮影、及び右眼の眼底画像の標準撮影を行う場合について説明する。まず、検者は、ＯＣＴによる断層画像の黄斑撮影をするために、黄斑撮影用の固視標を点灯させるための操作信号を操作部７４への入力によって制御部７０に送信する。制御部７０は、操作部７４からの操作信号を受け取ると、固視灯８１ｃを点灯させる。
【００７９】
次に、検者は、点灯した固視灯８１ｃの出射光によって形成された固視標を注視するように被検者に指示する。固視灯８１ｃは、光軸Ｌ１上に配置されているため、被検者の視線は光軸Ｌ１と合った状態で維持される。つまり、黄斑の中心部に光軸が合わせられた状態である。
初期段階では、ダイクロイックミラー２４は眼底カメラ光学系３０の光路に挿入されており、受光素子６５に撮像された前眼部像が表示部７５に表示される。
【００８０】
検者は、上下左右方向のアライメント調整として、例えば、図示無きジョイスティックを操作し、図示無き前眼部像が表示部７５に現れるように装置１の測定部を左右上下に移動させる。前眼部像が表示部７５に現れるようになると、前眼部像に８つの指標像が現れるようになる。
【００８１】
＜アライメント検出及びＸＹＺ方向に関する自動アライメント＞
８つのアライメント指標像が受光素子６５に検出されると、制御部７０は、自動アライメント制御を開始する。制御部７０は、受光素子６５から出力される撮像信号に基づいて被検眼に対する測定部のアライメント偏位量を検出する。
【００８２】
そして、制御部７０は、この偏位量がアライメント完了の許容範囲に入るように、測定部を駆動制御し、自動アライメントを行う。
【００８３】
また、制御部７０は、前述のように検出される８つの指標からＺ方向のアライメントを行う。アライメントの方法としては、例えば、特開平６−４６９９９号に記載のアライメント方法を利用してもよい。
【００８４】
また、制御部７０は、Ｚ方向についても、Ｚ方向のアライメント基準位置に対する偏位量を求め、その偏位量が、アライメントが完了したとされるアライメント許容範囲に入るように、測定部を駆動制御し、自動アライメントを行う。
【００８５】
前述したアライメント動作によって、ＸＹＺ方向のアライメント状態がアライメント完了の条件を満たしたら、制御部７０はＸＹＺ方向のアライメントが合致したと判定し、次のステップに移行する。ここで、ＸＹＺ方向におけるアライメントが完了すると、制御部７０は、アライメント完了信号を出力する。
【００８６】
＜瞳孔径の判定＞
アライメント完了後、制御部７０は、被検眼の瞳孔状態の適否の判定を開始する。この場合、瞳孔径の適否は、受光素子６５による前眼部像から検出される瞳孔エッジが、所定の瞳孔判定エリアから外れているか否かで判定される。瞳孔判定エリアの大きさは、画像中心（撮影光軸中心）を基準に、眼底照明光束が通過可能な径（例えば、直径４ｍｍ）として設定されているものである。簡易的には、画像中心を基準に左右方向及び上下方向で検出される４点の瞳孔エッジを使用する。瞳孔エッジの点が瞳孔判定エリアよりも外にあれば、撮影時の照明光量が十分に確保される（詳しくは、本出願人による特開２００５−１６０５４９号公報を参考にされたい）。なお、瞳孔径の適否判定は、撮影が実行されるまで継続され、その判定結果が表示部７５上に表示される。
【００８７】
＜フォーカス状態の検出／オートフォーカス＞
また、受光素子６５を用いたアライメントが完了されると、制御部７０は、被検眼の眼底に対するオートフォーカスを行う。表示部７５または表示部９５には、受光素子３８で撮像された眼底画像が表示されていおり、眼底画像の中心にフォーカス視標投影光学系４０によるフォーカス指標像が投影されている。ここで、フォーカス指標像は、フォーカスが合っていないときには分離され、フォーカスが合っているときに一致して投影される。制御部７０は、指標像を画像処理により検出し、その分離情報を得る。そして、制御部７０は、指標像の分離情報を基に移動機構４９の駆動を制御し、眼底に対するピントが合うようにレンズ３２を移動させる。
【００８８】
＜最適化制御＞
アライメント完了信号が出力されると、制御部７０は、最適化制御を開始するためのトリガ信号を発し、最適化の制御動作を開始する。制御部７０は、最適化を行うことによって、検者が所望する眼底部位が高感度・高解像度で観察できるようにする。なお、本実施例において、最適化の制御は、光路長調整、フォーカス調整、偏光状態の調整（ポラライザ調整）、の制御である。なお、最適化の制御において、眼底に対する一定の許容条件を満たすことができればよく、最も適切な状態に調整する必要は必ずしもない。
【００８９】
最適化制御において、制御部７０は、初期化の制御として、参照ミラー１３１とフォーカシングレンズ１２４の位置を初期位置に設定する。初期化完了後、制御部７０は、設定した初期位置から参照ミラー１３１を一方向に所定ステップで移動させ、第１光路長調整を行う（第１自動光路長調整）。また、第１光路長調整と並行するように、制御部７０は、受光素子３８から出力される受光信号によって取得される眼底画像に基づいて被検眼眼底に対する合焦位置情報を取得する。合焦位置情報が取得されると、制御部７０は、フォーカスシングレンズ１２４を合焦位置に移動させ、オートフォーカス調整（フォーカス調整）を行う。なお、合焦位置とは、観察画像として許容できる断層画像のコントラストを取得できる位置であればよく、必ずしも、フォーカス状態の最適位置である必要はない。
【００９０】
そして、フォーカス調整完了後、制御部７０は、再度、参照ミラー１３１を光軸方向に移動させ、光路長の再調整（光路長の微調整）をする第２光路長調整を行う。第２光路長調整完了後、制御部７０は、参照光の偏光状態を調節するためのポラライザ１３３を駆動させ、測定光の偏光状態を調整する（詳しくは、特願２０１２−５６２９２号参照）。
【００９１】
以上のようにして、最適化の制御が完了されることにより、検者が所望する眼底部位が高感度・高解像度で観察できるようになる。そして、制御部７０は、走査部１０８の駆動を制御し、眼底上で測定光を走査する。
【００９２】
検出器１２０によって検出された撮像信号（スペクトルデータ）は、コンピュータ９０に送信される。コンピュータ９０は、検出器１２０によって検出された撮像信号を受信し、撮像信号を演算処理することによって被検眼の断層画像を生成する。
【００９３】
アライメント及び画質調整が完了されると、制御部７０は、走査部１０８の駆動を制御し、眼底上で測定光を所定方向に関して走査させ、走査中に検出器１２０から出力される出力信号から所定の走査領域に対応する受光信号を取得して断層画像を形成する。
【００９４】
続いて、眼底カメラ光学系１００によるカラー眼底画像の撮影について説明する。検者は、眼底カメラの標準撮影をするために、標準撮影用の固視灯を点灯させるための操作信号を操作部７４への入力によって制御部７０に送信する。制御部７０は、操作部７４からの操作信号を受け取ると、右眼用の標準固視灯である固視灯８１ａを点灯させる。
【００９５】
次に、検者は、固視灯８１ａの出射光によって形成された固視標を注視するように被検者に指示する。固視灯８１ａは、光軸Ｌ１に対して被検者の左上方にずれた位置に配置されている。これによって、眼底カメラ光学系１００は、被検眼の黄斑と視神経乳頭の中間部分が中心に配置されるような画像を撮影できる。
【００９６】
検者は、表示部７５に表示される眼底画像を観察しながら、所望する状態で撮影できるように、アライメントとフォーカスの微調整を行う。そして、検者による図示無き撮影開始スイッチの入力があると、撮影が実行される。制御部７０は、撮影開始スイッチによる撮影開始のトリガ信号に基づいて、挿脱機構６６を駆動することによって、ダイクロイックミラー２４を光路から離脱させると共に、撮影光源１４を発光させる。
【００９７】
撮影光源１４が発光されることによって、被検眼眼底は可視光によって照射される。眼底からの反射光は対物レンズ２５、孔あきミラー２２の開口部、撮影絞り３１、フォーカシングレンズ３２、結像レンズ３３、ダイクロイックミラー３７を通過し、２次元受光素子３５に結像する。２次元受光素子３５で撮影された眼底画像８２は、制御部に受信され、その後、メモリ７２に記憶される。
【００９８】
なお、制御部７０は、ＯＣＴ光学系２００によって断層画像を撮影した後、連続的に眼底カメラ光学系１００によって眼底画像を撮影してもよい。
【００９９】
例えば、検者は、断層画像及び眼底画像を撮影するために、操作部７４に配置された図示無き撮影ボタンを押す。操作部７４は、撮影ボタンが押されると、断層画像及び眼底画像を撮影するための操作信号を制御部７０に送信する。制御部７０は、断層画像及び眼底画像を撮影するための操作信号を受信すると、固視灯８１ｃを点灯させ、前述のように、ＯＣＴ光学系２００による断層画像の撮影を行う。
【０１００】
連続撮影時は、例えば、断層画像と眼底画像の撮影位置をあわせるため、共通の固視灯を点灯させて撮影をする。従って、制御部７０は、固視灯８１ｃを点灯させたまま、前述のように、眼底カメラ光学系３０による眼底画像の撮影を行う。もちろん、連続撮影を行う場合、固視灯８１ｃだけに限らず、どの固視灯を点灯させてもよい。
【０１０１】
なお、眼底正面画像と眼底断層画像を連続的に取得する場合に、固視灯を自動的に切り換えるようにしてもよい。
【０１０２】
例えば、制御部７０は、固視灯８１ｃを点灯させて、ＯＣＴ光学系２００による断層画像の黄斑撮影する。黄斑撮影が完了した後、制御部７０は、自動的に固視灯の点灯を切り換え、眼底カメラ光学系３０による眼底画像の撮影を開始してもよい。例えば、制御部７０は、断層画像の撮影が完了すると、自動的に光源固視灯８１ｃを消灯し、眼底撮影の通常撮影用である固視灯８１ａまたは固視灯８１ｂを点灯させる。固視灯の切り換えが完了すると、制御部７０は、前述のように、眼底カメラ光学系３０による眼底画像の撮影を行う。
【０１０３】
このように、制御部７０は、検者による操作部７４からの操作信号がなくとも、自動的に、固視標の点灯状態を切り換えるようにしてもよい。
【０１０４】
なお、本実施例の説明において、固視標表示体８１は、固視灯が規則的（格子状）に配置されたドットマトリクスＬＥＤを用いたが、これに限らない。例えば、固視灯が所定の位置に配置された表示体を用いてもよい。
【０１０５】
例えば、図５に示すように、固視標表示体８１には、ＬＥＤ（固視灯）８２ａ，ＬＥＤ８２ｂ、ＬＥＤ８２ｃ、ＬＥＤ８２ｄ，ＬＥＤ８２ｅ、ＬＥＤ８２ｆ，ＬＥＤ８２ｇ，ＬＥＤ８２ｈ，ＬＥＤ８２ｉ，ＬＥＤ８２ｊ，ＬＥＤ８２ｋ等が配置されてもよい。
【０１０６】
ＬＥＤ８２ａ及びＬＥＤ８２ｂは、それぞれ左右眼の眼底画像の標準撮影に用いられる。ＬＥＤ８２ｃは、黄斑を中心とする断層画像の撮影に用いられる。ＬＥＤ８２ｄ及びＬＥＤ８２ｅは、それぞれ左右の乳頭を中心とした眼底画像の撮影に用いられる。ＬＥＤ８２ｆ〜ＬＥＤ８２ｋは、眼底画像のパノラマ撮影に用いられる。
【０１０７】
このように、各ＬＥＤの配置が規則的（例えば、格子状）でない場合であってもよい。眼底画像の標準撮影に用いる固視灯（例えば、ＬＥＤ８２ａ，ＬＥＤ８２ｂ）が光軸からずれた位置に配置されるとともに、断層画像の黄斑撮影に用いる固視灯（例えば、ＬＥＤ８２ｃ）が光軸上に配置されていればよい。これによって、本装置は、それぞれの撮影条件に適した固視標を呈示することができる。
【０１０８】
また、固視標表示体８１に配置される固視灯は、例えば、十字に配列されていてもよいし、放射状に配列されていてもよい。
【符号の説明】
【０１０９】
１  眼科撮影装置
３４  ダイクロックミラー
７０  制御部
７５  表示部
８０  固視光学系
８１  固視標表示体
９０  コンピュータ
９５  表示部
１０４  カップラー
１１０  参照光学系
２００  ＯＣＴ光学系
【図１】
2015104581.tif 000003
【図２】
2015104581.tif 000004
【図３】
2015104581.tif 000005
【図４】
2015104581.tif 000006
【図５】
2015104581.tif 000007